(57)【要約】      （修正有）【課題】部品点数も少なく加工の種類や加工工数も少ない分離可能な支柱構造体であって、事故や損傷によって分離せざるを得ない場合のみならず、取扱者の意思により積極的かつ容易に着脱可能な構造とした支柱構造体を提供する。  また、建柱物の種類に応じて必要な各種機能を兼ね備えて分離可能な構造とした支柱構造体を提供する。【解決手段】支柱構造体は、下部基礎固定柱１と上部基礎固定柱６とからなる。下部基礎固定部１と上部基礎固定柱６は、全体として棒状の部材であり、防錆のために例えばステンレス鋼にて作られる。上部基礎固定柱６は、フランジ部７を境に上側は支柱にはめ込まれることで支柱を支え、下側は地盤に埋設されることで衝突耐力を高め、下部基礎固定柱１は上部基礎固定柱６の下端で螺合されることで、上部基礎固定柱６の直立性と地盤への固着性を高める。【選択図】図１
2007297897.tif 000002
【特許請求の範囲】
【請求項１】
支柱の中間部ないし下部にフランジを有し、下端部に螺子穴が形成された上部基礎固定支柱と、これを支える下部基礎固定支柱の上端に螺子が形成され、地盤に全体ないし上端を残して埋設される下部基礎固定支柱と、上部基礎固定支柱のフランジまで地盤中に固定、ないし接する上部基礎固定支柱と下部基礎固定支柱とが螺合される支柱構造体で支柱を支える構造体。
【請求項２】
地盤に上端を残して埋設される基礎固定部と、この基礎固定部の上端に下端が螺合されて植立される地上支持部下段と、地上支持部下段と螺合される地上支持部上段とを有し、基礎固定部の上端には螺子が切られ、地上支持部下段には下部の外周側にフランジと中央部に基礎固定部貫通孔を有し、基礎固定部の頭部と下部が円形のナットにて螺合され、さらに地上支持部下段には上部に螺子穴が形成され、地上支持部上段の下部に形成された螺子と螺合される支柱構造体で支柱を支える構造体。
【請求項３】
上部円形より下部円形が大きい円形台推体の基礎固定版中央部には、螺子穴と、地盤中に頭部を残して支持される基礎固定柱を螺合させる貫通穴と、螺子穴壁より外径に向かって切られた溝を持ち、基礎固定版と基礎固定柱とは基礎固定柱の頭部が下部円形のナットにて螺合され、地上支持部の下端外側に螺子が切られ、下端内側には穴が形成され、中央部外側に螺子が切られ、上端中央部に凹型のナット穴が形成された地上支持部に、地上支持部中央部外側の螺子と螺合するガード支持版の外側に筒体をボルトにより接合させる支柱構造体を、基礎固定版中央部の螺子穴と螺合させ、先端に凸型ボルトが装着され、頭部には回転させるためのハンドルが付いたボルト締め棒を差し込み回転させることで、地上支持部が下降し基礎固定版の螺子穴と螺合・支持させる構造体。
【発明の詳細な説明】
【技術分野】
【０００１】  本発明は、屋外に設置される道路標識、案内、宣伝、フェンス、境界、等の建柱物に用いられる支柱の地盤固定部分であって、地盤に建柱される支柱構造体に関する。
【背景技術】
【０００２】    道路、駐車場、広場、店頭等において、地盤に植立状態で建柱されるものには、多種多様のものがあり、例えば道路標識、フェンス、防火水槽標識、看板、等の案内もしくは宣伝用建柱物、やガードレール、車止め等の交通もしくは境界用建柱物、が挙げられる。これらに関して従来の技術には、支柱を地盤中と地上に分離し、その接合部に衝突安全性を考慮し、バネないしワイヤーを介在させたものがある。
例えば  特開平８−２１８３３４
特開平８−８１９２４
特開平１０−１２１４２９
【発明の開示】
【発明が解決しようとする課題】
【０００３】  従来の技術においては、下部に対して上部を別体に植立させる構造は、部品点数も多くなり、溶接、穴あけ等の多種の加工が必要になり、更には加工工数も多くならざるを得ないという問題を有している。【０００４】  さらに、上・下部別体をバネないしワイヤーで連結し、上部体を下部体に収納ないしビス止めする一体的構造であるため、損傷時には上部体のみならず、下部体まで撤去・補修する必要がある構造体となっている。【０００５】  このような各種建柱物は、錆びによる老朽化とか、車等との接触や衝突等による折れ曲がりや損傷によって、取替える必要が生ずる。取替えに際しては、アスファルトや歩道ブロック、ないしコンクリートを壊したり、場合によっては基礎部分を残して切断するという方法が採られている。【０００６】  しかし、建柱物を壊す作業あるいは切断する作業は、非常に大きな作業労力がかかり、できれば無くしたい作業である。しかも、建柱物を壊した後は、新たな建柱物を立てたり、アスファルトや歩道ブロックを敷設しなおしたり、あるいは整地する作業が一般的に必要である。つまり、全体として作業労力、費用が大掛かりなものとなってしまう。
【課題を解決するための手段】
【０００７】  上述の目的を達成するため、請求項１の発明は、支柱の中間部ないし下部にフランジを有し、下端部に螺子穴が形成された上部基礎固定支柱と、これを支える下部基礎固定支柱の上端に螺子が形成され、地盤に全体ないし上端を残して埋設される下部基礎固定支柱と、上部基礎固定支柱のフランジまで地盤中に、固定ないし接する上部基礎固定支柱と下部基礎固定支柱とが螺合される支柱構造体で支柱を支える構造体である。【０００８】  さらに、上部基礎固定支柱のコンクリートに埋設される部分と、下部基礎固定支柱には離脱防止の水平溝が形成されている構造体と、下部基礎固定支柱の下端に螺子を切り、円盤形の中央部に螺子穴が形成された支持盤と螺合させ支柱構造体の直立性と離脱防止を兼ねる構造体である。【０００９】  請求項２の発明は、地盤に上端を残して埋設される基礎固定部と、この基礎固定部の上端に下端が螺合されて植立される地上支持部下段と、地上支持部下段と螺合される地上支持部上段とを有し、基礎固定部の上端は螺子が切られ、地上支持部下段には下部の外周側にフランジと中央部に基礎固定部貫通孔を有し、基礎固定部の頭部と下部が半円形のナットにて螺合され、さらに地上支持部下段には上部に螺子穴が形成され、地上支持部上段の下部に形成された螺子と螺合される支柱構造体で支柱を支える構造体である。【００１０】  請求項３の発明は、上部円形より下部円形が大きい円形台推体の基礎固定盤中央部に、螺子穴と、基礎固定柱を螺合させる貫通穴と、螺子穴壁より外径に向かって切られた溝と、基礎固定盤を地盤中に支持させるボルト穴を持つ基礎固定盤に、基礎固定柱の頭部には螺子が切られ、上部が六角形、下部が円形のナットにて基礎固定盤とが螺合される。
また、支柱の下端外側に螺子が切られ、下端内側には穴が形成され、中央部外側に螺子が切られ、上端中央部に六角形の凹型のナット穴が形成された地上支持部に、地上支持部中央端外側の螺子と螺合するリード支持版の外側に、ボルトにより螺合させた筒体と一体にした支柱構造体を、先端に凸型ボルトが装着され、頭部には回転させるためのハンドルが付いたボルト締め棒を、地上支持部上端中央部のナット穴に差し込み回転させることで、地上支持部が下降し基礎固定盤の裸子穴と螺合させる構造体である。
【発明の効果】
【００１１】  本発明は、部品点数も少なく、加工の種類や加工工数も少ない、例えば旋盤のみにて主要部分の加工ができ、かつ支柱部は分離可能な、錆びに強いステンレス鋼にて造られる永久構造物としての支柱構造体の提供を目的とする。【００１２】  更に、本発明は、事故や損傷によって分離せざるを得ない場合のみならず、取扱者の意思により積極的かつ容易に着脱可能な構造、つまり支柱は取り替え可能な構造とした支柱構造体の提供を目的とする。【００１３】  また、本発明は、建柱物の種類に応じて必要な各種機能を兼ね備えて、分離可能な構造とした支柱構造体の提供を目的とする。【００１４】  請求項１では、上部基礎固定支柱と下部基礎固定柱は、柱体を穴加工や螺子切り加工することによって容易に製作することができ、製作に当たって部品点数、加工工数を抑えることができる。また、下部基礎固定柱に対して上部基礎固定支柱が直接螺合されているたけであり、据え付けが容易で、既設支柱を切断した跡に挿入・据え付けするだけで標識柱等の復旧ができる。【００１５】また、従来の支柱は、軽微な衝突にも耐えられるように管径を設定し、地中部まで同一径で建柱していたが、上部基礎固定柱を支柱管内部径に合わせた棒状にすることで、基礎固定部の支柱の断面積がパイプ形の断面積より大きくなり耐衝撃性が増す。【００１６】  かつ、耐衝撃性能力を基礎固定部が負担するため基礎固定部のフランジより上部の径を下部より小さくすることも可能で、それにより支柱の径も従来の支柱より小さくでき経済性も向上する。【００１７】  さらに、下部基礎固定柱の径を支柱径より小さくすることで、排水側溝等の道路境界側端部上に設置することができ、従来の支柱が、基礎コンクリートの幅を確保する必要から排水側溝の道路側にはみ出し交通の支障となっていたが、これにより車道幅員を広く確保でき、生活道路の交通安全効果も発揮できる。【００１８】  この請求項２の発明では、既設コンクリート中にアンカーボルトを穿孔・打ち込み地上支持部下段をボルト締めし、地上支持部下段と地上支持部上段を螺合するだけで支柱が設置できるため、既設構造物への設置が容易であり、短時間で支柱を据え付ける作業環境下でも適用が可能である。【００１９】  地上支持部下段内にあるナットは、上部が六角形で下部が半円形であるため、基礎固定柱の直立性有無に係わらず、支柱の直立性を確保することができる。【００２０】  この請求項３の発明にあっても、部材を穴加工や螺子切り加工することによって容易に製作することができ、部品点数、加工工数も抑えることができる。また、これを車止め等に使用する場合、基礎固定版を地表面に設置することで、従来の地中筒へ支柱を収納する方式より設置が容易であり、支柱が折れ曲がり復旧を必要とする際にも支柱の取替えだけでよく、耐久性にも優れている。さらに、疑似木に使用した時も破損、ないし模様替え等に当たって製品だけを取り替えれば良い構造体となる。【００２１】  一方、筒体内部にボルト締め棒を用いて地上支持部を回転・上下運動させるだけで支柱の設置ができ、かつ支柱頭部に蓋をしておくことで地上支持部の取扱者以外の者による盗難等も防ぐことができる。
【発明を実施するための最良の形態】
【００２２】  図１ａは、本発明の第１実施形態を示した断面図である。
軽荷重交通標識（直立の標識）、フェンス、車止め、ガードレール、等のための支柱構造体である。従って、これらの建柱物は、着脱可能、更には衝突安全性のための構造を有する。【００２３】  図１ａにおいて、支柱構造体は、下部基礎固定柱１と上部基礎固定柱６とからなる。下部基礎固定部１と上部基礎固定柱６は、全体として棒状の部材であり、防錆のために例えばステンレス鋼にて作られる。上部基礎固定柱６は、フランジ部７を境に上側は支柱にはめ込まれることで支柱を支え、下側は地盤に埋設されることで衝突耐力を高め、下部基礎固定柱１は上部基礎固定柱６の下端で螺合されることで、上部基礎固定柱６の直立性と地盤への固着性を高める。【００２４】  このうち、下部基礎固定柱１には、コンクリートの敷設地盤からの脱着を防止するために水平溝が形成され、上端には上部基礎固定柱６と螺合するように螺子３が切られている。【００２５】  上部基礎固定柱６は、支柱端を地盤面から離すことで水滴からの防錆をするために支柱下端を受けるフランジ部７を有し、そのフランジ部７から下の中間部に敷設地盤からの脱着を防止する水平溝が形成され、下端中央には下部基礎固定柱１の頭部に切られた螺子３と螺合するための螺子穴９が形成されている。【００２６】  さらに、上部基礎固定柱６には、支柱の盗難防止のための螺子穴８が彫られ、支柱３０に形成された螺子穴３５を貫通して、ネジ３６にて支柱３０を固定する構造となっている。また、これらは旋盤加工が全て可能な構造である。【００２７】  また、上部基礎固定支柱６を支柱管３０の内部径に合わせた棒状にすることで、基礎固定部の支柱の断面積がパイプ形断面積より大きくなり耐衝撃性が増す。また、耐衝撃性能力を上部基礎固定支柱６のフランジ７より下部が負担するため、旋盤加工の利点からフランジ７より上部の径を下部より小さく切削することも可能で、それにより支柱の径も従来の支柱より小さくすることもできる。【００２８】  図１ｂは、基礎固定柱１と地上支持部１０とからなる。基礎固定部１と地上支持部１０は、全体として棒状の部材であり、防錆のために例えばステンレス鋼にて作られる。基礎固定柱１は、下端部に着脱防止と支柱の直立性を確保させるために円盤形フランジ部５を有し、地上支持部１０はフランジ部１１を境に上側は支柱にはめ込まれることで支柱を支え、基礎固定柱１はと螺合されることで、地上支持部１０の直立性と地盤への固着性を高める。【００２９】  このうち、基礎固定柱１には、コンクリートの敷設地盤からの脱着を防止と、支柱の直立性を確保するための円盤形フランジ部５と螺合できる螺子３が形成され、円盤形フランジ部の中央部には基礎固定柱１と螺合する螺子穴９が切られている。また、上端部には地上支持部１０と螺合し支柱を安定させるための螺子が形成されている。【００３０】  地上支持部１０には、支柱端を地盤面から離すことで水滴からの防錆をするための支柱下端を受けるフランジ部１１を有し、下端中央には基礎固定柱１の頭部に切られた螺子４と螺合するための螺子穴９が形成されている。【００３１】  さらに地上支持部１０には、基礎固定柱１との着脱防止のための螺子穴８が形成され、ネジ３６によって緊結され、また支柱の盗難防止のための螺子穴８が彫られ、支柱３０に形成された螺子穴３５を貫通して、ネジ３６にて支柱３０を固定する構造となっている。また、これらは旋盤加工が全て可能な構造である。【００３２】  図２は、本発明の第２実施形態を示した断面図である。
軽荷重交通標識（直立の標識）、フェンス、案内柱、交通誘導標等のための支柱構造体である。従って、これらの建柱物は中型のものであり、着脱可能、更には耐衝撃性を余り必要としない地盤面に設置するための構造を有する。【００３３】  図２において、支柱構造体は、基礎固定柱１と地上支持部下段１０および地上支持部上段２０とからなる。基礎固定部１と地上支持部下段１０および地上支持部上段２０は、全体として棒状の部材であり、防錆のために例えばステンレス鋼にて作られる。基礎固定柱１は、コンクリートに直接貫入させるアンカー式でも良い。地上支持部下段１０は地上支持部上段２０にと螺合し、支柱は地上支持部上段２０にはめ込まれることで支柱を支え、基礎固定柱１は地上支持部下段１０と螺合されることで、支柱の直立性と地盤への固着性を高める。【００３４】  このうち、基礎固定柱１は、コンクリートの敷設地盤への直接装着をするために頭部に螺子が切られたアンカー式とする。【００３５】  地上支持部下段１０には、支柱端を地盤面から離すことで水滴からの防錆をするため支柱下端を受けるフランジ部１１を有し、下端中央には基礎固定柱１の頭部に切られた螺子３と螺合するための螺子穴１２が形成されている。【００３６】  さらに地上支持部下段１０には、地上支持部上段２０との着脱防止のための螺子穴１５が形成され、ネジ３７によって緊結され、中央部には地上支持部上段２０を固定するための螺子２１と螺合させ、基礎固定柱１の頭部をボルト締めするスペースを確保する螺子溝が形成されている。【００３７】  地上支持部上段２０には、下端に地上支持部下段１０と螺合するための螺子２１が切られ、支柱３０と結合するための螺子穴８が形成されている。【００３８】  支柱３０には、地上支持部上段２０と結合するための穴３５を有し、ボルト３６によって地上支持部上段２０と結合、直立させられる。【００３９】  地上支持部下段内にあるナット１３は、上部が六角形で下部が半円形であるため、基礎固定柱１の直立性有無に係わらず、支柱３０の直立性を確保することができる。【００４０】  図３は、第３実施形態を示した平面図、断面図である。
車止め、擬似木、等のための支柱構造体である。従って、これらの建柱物は小型のものであり、着脱可能、盗難防止の構造を有する。【００４１】  図３において、支柱構造体は、基礎固定版５０とそれを固定する基礎固定部１と、地上支持部１０、および地上支持部１０を支持・リードするリード支持体２０と結合しているリード型支持体２０からなる。【００４２】  このうち、基礎固定部１の支柱は、アスファルト及びコンクリートの敷設地盤を対象として、抜け防止の段差ないし先端拡大型のアンカー構造に形成されている。また、支柱上部には基礎固定版５０と螺合するための螺子３が切られている。【００４３】  基礎固定版５０には、基礎固定部１と固結するための貫通穴と、地上支持部１０の外側に形成された螺子２１を受け入れる螺子穴９が、基礎固定盤５０と基礎固定部１とを固結するボルト５２の径より大きく形成され、螺子穴９に堆積する水ないし土砂を取り除く排水溝５１が形成され、また基礎固定盤５０を地盤中に支持させるボルト穴５３にボルト５４を通し地盤中に固定させる。【００４４】  基礎固定盤５０と基礎固定柱１とを固結するボルト５２は、頭部上端は六角形で、頭部下端は円形に形成され、支柱構造体１０、２０，４０の直立性を確保する。【００４５】  地上支持部１０には、下部に基礎固定版５０と基礎固定部１とを固結するボルト５２の頭部を包み込み形の円形溝１７が形成され、その外側には基礎固定版５０の螺子穴９と螺合するための螺子２１が切られている。また、中央部にはリード支持体２０と螺合するための螺子１６が形成され、上部には地上支持部１０を回転させることで基礎固定版５０と固結するための六角形の凹型ボルト穴が形成されている。【００４６】  リード支持体２０には地上支持部１０を支持し、筒体４０と結合して筒体４０を基礎固定版５０に固結するために、地上支持部１０の中央部に切られた螺子１６と螺合させる螺子２５が切られ、筒体４０と螺合するための螺子穴８が形成されている。【００４７】  筒体４０には、リード支持体２０と結合するためのボルト３１が貫通する穴３２が形成され、頭部には筒体４０内への雨水進入を防止する脱着可能な蓋４１が設けられている。【００４８】  筒体４０を基礎固定版５０に着装するには、筒体４０の頭部にある蓋４１を開け、そこに地上支持部１０の頭部に形成された六角形の凹型ボルト穴１８に、先端に六角形の凸型ボルトが装着され、頭部には回転させるためのハンドル６２が付いたボルト締め棒６０を差し込み回転させることで、地上支持部１０が下降し基礎固定版５０の螺子穴９と螺合・支持させる。取り外す場合は、ボルト締め棒６０を逆に回転させることで着脱が可能となる。【００４９】  図１から図３に示す実施形態では、筒体４０、蓋４１、を除いて基礎固定部１及び地上支持部１０は、旋盤の加工により容易に製作することができる。なお、ボルト３６、３７や図２、３に示す基礎固定柱１は、市販の物を購入することで安価なものを得ることができる。
【図面の簡単な説明】
【図１】  ａ、ｂ  本発明の第１実施形態を示す断面構成図である。
【図２】  本発明の第２実施形態を示す断面構成図である。
【図３】  本発明の第３実施形態を示す断面構成図である。
【符号の説明】
１  基礎固定部、
２  水平溝、
３、４  螺子、
５  円形盤
６  上部固定支柱
７  フランジ
８、９  螺子穴、
１０、２０  地上支持部、
３０  支柱、
４０  筒体
【図１】
2007297897.tif 000003
【図２】
2007297897.tif 000004
【図３】
2007297897.tif 000005